(57)【要約】【課題】背部を保温することにより厚着をしなくても暖かくて動きやすく、日中や朝晩などの気温にあわせて上着を着たままでも取り外し可能で、胴囲のサイズを変えることなく背部の保温を目的とする背当て装着脱式肌着を提供することにある。【解決手段】着丈が肩から尾骨下以上ある寸法（Ａ）の肌着本体（１）に肩から胴囲上までの寸法（Ｂ）を装着することで背部が保温され暖かく、薄地の肌着素材を使用することで動きやすく、（２）を胴囲上までの寸法（Ｂ）にすることにより、胴囲のサイズに変化が起こりにくいため、スカート又はズボンの穿き心地も確保される。また、１日の気温変化やあらゆる場所の室温に対応して上着を着たままでも装着脱を行うことができる。【選択図】図１
0003124738.tif 000002
【実用新案登録請求の範囲】
【請求項１】
薄い素材で動きやすく、背当て部の装着時は背中を保温することにより身体を暖め、温度変化に応じて上着をきたままでも取り外しが可能な背部の保温を目的とする背当て装着脱式肌着
【請求項２】
背当て部は、肩部から胴囲よりも短い領域で構成され、スカート又はズボンの胴囲サイズを変化させることなく着用者の背部を覆う外形寸法を有し、請求項１に記載にある背部の保温を目的とする背当て装着脱式肌着
【請求項３】
肌着本体と背当てを結合するための結合具は、両肩、両脇、胴囲上（左右）にループ布、紐、フック及びボタンのいずれかから構成される背部の保温を目的とする背当て装着脱式肌着
【請求項４】
背当て部の襟ぐり、肩幅、袖ぐり、背幅の寸法は、肌着本体の寸法と同一寸法からそれぞれ１cm程度短い寸法で、使用する素材により調整するものとする。
【考案の詳細な説明】
【技術分野】
【０００１】
本考案は、保温部を有する温度変化に対応できる肌着に関するものである。
【背景技術】
【０００２】
従来、肌着は肌の上に直に着用するもので、着心地が要求されるため薄地の素材で動きやすいものが多く好まれている。
【０００３】
しかし、保温効果を追求すると素材が多少厚くなり、薄地に比べて着心地は良くないものが多い。近年では、マイナスイオンを発生する保温肌着、ゲルマニウムを練り込んだ保温肌着、遠赤外線素材を練り込んだ保温肌着、マイクロ起毛の保温肌着、発熱繊維の保温肌着など、保温素材にこだわっただけでなく比較的薄地の肌着や、肩から背中、腰までを二重構造にした肌着などが数多く販売されている。
【０００４】
それらの保温肌着は、気温が極端に下がるときに着用するものであるため、暖かいが動きやすさを重視しておらず、薄地の肌着よりも生地が厚いため動きにくく、暖房の効いた室内と気温の低い屋外での調整をすることもできず、スカート又はズボンの胴囲サイズを変化させるものも少なくない。
【０００５】
また、初春や晩秋など少し肌寒さを感じる季節や夏でも冷房を強く効かせた建物内部や交通機関の車両内でも身体を冷えから保護したり、温める必要がある場合がある。そして、場所や時間に応じて温度変化があるため、気温に応じて調整を行う必要がある。
【０００６】
身体の冷えや温もり具合を感じ取る神経系が、首、肩、背中周辺に集中しているため、背中を暖めることにより風邪予防になり、肩を温めることにより筋肉がリラックスし、肩こりが解消されやすくなる。
【０００７】
背中の保温を図ることを目的とする取り外し可能な背当て具は存在するが、背当て具が取着される衣類には取着させるためのテープ片を縫着させる必要があり、肌着ではないため本考案が解決しようとする課題の解決には至らなかった。
【特許文献１】登実３０８０９５９号
【考案の開示】
【考案が解決しようとする課題】
【０００８】
そこで、この考案は、背部を保温することにより厚着をしなくても暖かくて動きやすく、日中や朝晩の気温にあわせて容易に取り外し可能で、しかも胴囲サイズを変化させることなく背部の保温することを目的とする背当て装着脱式肌着を提供することにある。
【課題を解決するための手段】
【０００９】
そして、この考案は、薄地素材を使用することで身体に違和感を感じることもなく動きやすく、背部に背当て部を装着した際に生地を重ねることで背部が保温され、背当て部を短くし、結合具をループ布、紐、フック及びボタンのいずれかを使用することでセーターや上着の生地をいためることなく温度の変化による装着脱が上着を着た状態で容易に行える上、胴囲サイズを変化させることなく見た目にも体裁が良い肌着である。
【考案の効果】
【００１０】
本考案は、背当て付きの肌着を薄地素材にしたことで、動きやすさと身体への一体感ができ、背当てを胴囲上までの短い丈にしたことでスカートやズボンの穿きやすさが実現した。背当て部は、背部のみの限られた領域で構成されているため腕も動かしやすく、効率よく身体を暖める事ができる。また、結合具を簡単にすることで上着を着たままの取り外しが容易に行うことができ、マジックテープ（登録商標）などのように上着の生地を傷めることもなく、肌着との一体化デザインにより、男女問わず若年者から高齢者まで好まれる肌着が提供できる。
【考案を実施するための最良の形態】
【００１１】
この考案の最良の形態を述べると、図１（２）に示す保温用背当ては、襟ぐり、肩幅、袖ぐり、背幅は肌着本体の寸法と同一寸法もしくは使用する素材によりそれぞれ１cm程度まで短く調整し、下は胴囲よりも短く裁断して、スカートやズボンのベルト部分にかからないようにし、両肩、両脇、胴囲上（左右両隅）に結合具を付け、また、肌着本体（１）にも同位置に結合具を付ける。背当て部は、（１）の斜線部分に装着して着用する。
【実施例】
【００１２】
この考案の実施例として、伸縮性のある素材を使用し、図１（１）の肌着本体は動きやすさや身体への一体感を重視し、（２）の背当てには同じ伸縮性のある素材を使用した薄地のものや、マイナスイオンを発生する生地、ゲルマニウムを練り込んだ生地、遠赤外線素材を練り込んだ生地、マイクロ起毛の生地など保温効果や発熱繊維の生地などさまざまな気温に対応できる肌着が製造可能である。
【００１３】
肩から背中を暖めることで、風邪予防や肩こりも解消されやすくなり、気温、室温によって体温調整が可能になるため、健康的な肌着としての提供も可能になる。
【００１４】
肌着本体（１）は、現在販売されている肌着と全く同じように、ブイネックやラウンドネックなどさまざまな形が考えられ、レースやフリルなどを施すことにより華やかなデザインになる。
【００１５】
また背当ては、背部のみの限られた領域で構成されているため、図２のように袖の長さも自由にできるため、男女問わず若年者から高齢者まで着用者の好みに合わせたデザインが楽しめる。
【００１６】
肌着本体と背当ての結合具は、背当てをはずした状態でも目立たないようにループ布、紐、フック及びボタンのいずれかで、動いても外れにくいもので、背当て部分を外すときには外しやすいものを使用する。
【００１７】
以上、実施例に基づき本考案を説明したが、本考案は上記実施例に何ら限定されるものではなく、本考案の趣旨を逸脱しない範囲内で種々の改良変形が可能であることは容易に推察できる。
【図面の簡単な説明】
【００１８】
【図１】この考案を示す説明図である。
【図２】この考案の実施例を示す説明図である。
【符号の説明】
【００１９】
１  肌着本体
２  背当て部
Ａ  肌着本体の長さ寸法
Ｂ  背当て部の長さ寸法
【図１】
0003124738.tif 000003
【図２】
0003124738.tif 000004
【手続補正書】
【提出日】平成18年5月2日(2006.5.2)
【手続補正１】
【補正対象書類名】実用新案登録請求の範囲
【補正対象項目名】全文
【補正方法】変更
【補正の内容】
【実用新案登録請求の範囲】
【請求項１】
温度変化に応じて装着することができ、また上着を着たままでも取り外しが可能な構造で肌着本体と背当て部を結合するための結合具は、両肩、両脇、胴囲上（左右）にループ布、紐、フック及びボタンのいずれかにより構成される背部の保温を目的とする保温背当て装着脱式肌着
【請求項２】
背当て部の襟ぐり、肩幅、袖ぐり、背幅の寸法は肌着本体の寸法と同一寸法からそれぞれ１ｃｍ程度短く、胴囲よりも短い領域で構成され、スカート又はズボンの胴囲サイズを変化させることなく着用者の背部を覆う外形寸法を有し、請求項１記載の背部の保温を目的とする保温背当て装着脱式肌着